(57)【要約】【課題】  ドラグツマミの先端が外力によって受ける衝撃をツマミ部が弾性変形して衝撃を吸収緩和すると共に、突部に衝撃応力を集中させて変形や折損の防止を図る強度を有するドラグツマミを備えた魚釣用スピニングリ−ルを提供することである。【解決手段】  ドラグツマミ９の円板状部９ａの表面に操作用のツマミ部９ｆが円板状部９ａの一側から他側に跨るように且つ空洞部９ｇを有するように形成されている。  ツマミ部９ｆの前面には長手方向の突部９ｈが形成され、突部９ｈの両側は傾斜面α、βに形成されている。【選択図】    図６
2007006705.tif 000002
【特許請求の範囲】
【請求項１】
リ−ル本体に支持されたスプ−ル軸にスプ−ルを回転可能に装着し、該スプ−ルの制動力を調節する前記スプ−ル軸の先端に螺合するドラグツマミに空胴部を有するツマミ部を設け、該ツマミ部の前面に突部を形成したことを特徴とする魚釣用スピニングリ−ル。
【請求項２】
前記突部は、ツマミ部の前面両側に形成された傾斜面で構成されていることを特徴とする請求項１記載の魚釣用スピニングリ−ル。
【発明の詳細な説明】
【技術分野】
【０００１】
本発明は、リ−ル本体に装着したハンドルの回転操作運動を、スプ−ル軸の前後往復動に変換する往復動装置をリ−ル本体内に備え、スプ−ル軸の前部に釣糸が巻回されるスプ−ルを装着した魚釣用スピニングリ−ルの改良に関する。
【背景技術】
【０００２】
魚釣用スピニングリ−ルは、実際の釣りを行う時、或は移動、携帯時等、誤って他物に当てたり、地面やコンクリ−ト面に落下させてしまうことがある。
魚釣用スピニングリ−ルは、リ−ル本体の前方に、釣糸が巻回されるスプ−ルが前後往復動可能に配置されている構成であることから、スプ−ルが下方に向かう姿勢で落下して、スプ−ル落下時の衝撃がスプ−ル軸方向に加わる可能性が高い。
このため、落下時の衝撃力がスプ−ル及びスプ−ル軸を介して往復動装置に加わって、回転運動を軸方向運動に変換する変換係合部や軸受部、ギヤの噛合部を変形、折損することがあり、往復動装置の円滑な作動に支障をきたすことがある。
そこで、スプ−ル軸の前部に装着されるドラグツマミを、落下時の衝撃を緩和する緩衝構造として、スプ−ルの往復動性能に影響を及ぼすこと無く、円滑な釣糸巻取り操作が行えるようにしたものが、特許文献１で知られている。
【特許文献１】特開２００４−１８０６１１号公報
【発明の開示】
【発明が解決しようとする課題】
【０００３】
解決しようとする問題点は、特許文献１に見られるように、スプ−ルのドラグツマミを緩衝構造とすることで、落下時に発生する衝撃を緩和することができ、円滑な釣糸巻取り操作が可能となるが、ツマミ部は断面略長方形状なので「スプ−ルのドラグツマミが先端からの衝撃を受けると衝撃を受ける面積が広く、面全体に応力が集中するために弾性変形部が折損し易い」、「ドラグツマミを強度の高い材料にすると、先端からの衝撃が緩和されずに往復動装置に加わって、回転運動を軸方向運動に変換する変換係合部や軸受部、ギヤの噛合部を変形、折損することがあり、往復動装置の円滑な作動に支障をきたす」等の問題がある。
【０００４】
本発明の目的は前記欠点に鑑み、ドラグツマミの先端が受ける衝撃を突部に応力集中されて変形や折損を防止した魚釣用スピニングリ−ルを提供することである。
【課題を解決するための手段】
【０００５】
本発明の請求項１は、リ−ル本体に支持されたスプ−ル軸にスプ−ルを回転可能に装着し、該スプ−ルの制動力を調節する前記スプ−ル軸の先端に螺合するドラグツマミに空胴部を有するツマミ部を設け、該ツマミ部の前面に突部を形成したことを要旨とするものである。
本発明の請求項２は、前記突部は、ツマミ部の前面両側に形成された傾斜面で構成されていることを要旨とするものである。
【発明の効果】
【０００６】
本発明の請求項１によれば、ツマミ部の前面に突部を形成することで、前面に衝撃が加わったとき、ツマミ部が弾性変形して衝撃を緩和すると共に、突部に衝撃の応力が集中するため、ツマミ部が折損しない強度が得られる。
本発明の請求項２によれば、ツマミ部は、前面の両側に傾斜面を有する突部に形成されていることで、ツマミ部を指で押さえ付けながらドラグツマミを回転した時に、ツマミ部に指が接触する面積が増えるので、グリップ力が増して操作性能が向上する。
【発明を実施するための最良の形態】
【０００７】
ドラグツマミ９の円板状部９ａの表面に操作用のツマミ部９ｆが円板状部９ａの一側から他側に跨るように且つ空洞部９ｇを有するように形成されている。
ツマミ部９ｆの前面には長手方向の突部９ｈが形成され、突部９ｈの両側は傾斜面α、βに形成されている。
【実施例１】
【０００８】
以下、図面を参照しつつ本発明について説明する。
図１から図６は第１実施例で、図１は魚釣用ピニングリ−ルの断面側面図、図２は魚釣用スピニングリ−ルの要部拡大断面側面図、図３はドラグツマミの正面図、図４はドラグツマミと押圧部材と皿状のラチェットリングの他の側面から見た断面側面図、図５は魚釣用ピニングリ−ルの斜視図、図６はツマミ部を指で摘んだドラグツマミと押圧部材と皿状のラチェットリングの断面側面図である。
【０００９】
魚釣用スピニングリ−ルは、リ−ル本体１の図示しない軸受と図示しない蓋体の図示しない軸受で駆動歯車２の回動軸２ａの両端が軸支され、回動軸２ａの中心多角形孔にハンドル１０が固定されたハンドル軸１１が左右交換自在に挿入嵌合されている。
リ−ル本体１の前部には軸受１２で回転軸筒３が回転自在に支持されると共に前側に突出されている。
軸受１２より前側の回転軸筒３の外周に逆転防止歯車１３が回り止め嵌合されてその前側にロ−タ１４の筒部１４ａが回り止め嵌合されてナット１５で固定されている。
回転軸筒３の基端３ａは軸受部１ａの透孔１ｂで軸承されている。
回転軸筒３の基端３ａの前側に一体的にピニオン３ｂと連動歯車３ｃが形成されてピニオン３ｂに駆動歯車２が噛合されてロ−タ１４はハンドル１０の回転に連動して回転されるように支持されている。
【００１０】
回転軸筒３の中心孔には先端部にスプ−ル４が装着されたスプ−ル軸５が前後往復動可能に摺動自在に挿入され、スプ−ル軸５の後方には前後往復動機構の摺動子１６が嵌合されて摺動子１６に係止板１７が重ねられてビス１８で取り付けられている。
リ−ル本体１内の下側には案内面１ｃが形成されて摺動子１６から突出された下側部が当接されている。
リ−ル本体１内のスプ−ル軸５と平行に前後往復動機構のトラバ−スカム軸１９が支承されている。
トラバ−スカム軸１９は軸受部１ａの透孔１ｄとリ−ル本体１の後側の軸受２０に軸承されている。
トラバ−スカム軸１９の先端には小歯車２１が回り止め嵌合されてＥリング２２で抜け止めされ、小歯車２１は連動歯車３ｃに噛合されている。
トラバ−スカム軸１９の外周にカム溝１９ａが刻設されている。
摺動子１６の中には図示しない係合子が設けられて係合子はカム溝１９ａに係合されて前後往復動機構が構成されている。
【００１１】
スプ−ル軸５は太径部５ａの先端側に段部で太径部５ａより小径の小径部５ｂが形成され、先端にネジ部５ｃが形成されている。
小径部５ｂには軸方向と直交する透孔５ｄが穿設されている。
小径部５ｂ外周には筒状のスプ−ル支持部材６が嵌合されている。
スプ−ル支持部材６は筒部６ａの後端に２段の鍔部６ｂ、６ｃが形成され、鍔部６ｃの前側に軸方向と直交する透孔６ｄが穿設され、その前側に周溝６ｅが形成されている。
透孔６ｄと透孔５ｄには係合ピン２３が挿脱自在に挿入される。
鍔部６ｃ外周にクリック係合子ホルダ−２４の中心透孔が回り止め嵌合されると共に、摩擦板２５が嵌合されている。
筒部６ａの外周には透孔６ｄを塞ぐように軸受２６が嵌合され、軸受２６の前側の周溝６ｅにＯリングからなる弾性シ−ル部材２７が嵌合されている。
【００１２】
スプ−ル４の外側は前側鍔部４ａと釣糸巻回胴部４ｂと後側の大径の円筒部４ｃを備えた後側鍔部４ｄが形成されている。
スプ−ル４の内側の前部にドラグ機構の金属板の制動板２８とフェルトや皮革等からなる摩擦板２９と皿状のラチェットリング７が収容される収容凹部４ｅと収容凹部４ｅの前側の開口部４ｆと後側の軸筒部４ｇと軸筒部４ｇの中心に軸受２６と軸受３０を介してスプ−ル支持部材６が装着される段付透孔４ｈが形成されている。
収容凹部４ｅの内周面には制動板２８が回り止めされる複数条の軸方向の縦溝４ｉが形成されている。
スプ−ル４の収容凹部４ｅの前側の開口部４ｆ内と前側の鍔部４ｂにはカバ−部材３１、３２が取り付けられている。
皿状のラチェットリング７は底面中心に中心透孔７ａが、外周壁７ｂの内周にクリック凹凸歯７ｃが形成されて内側底面を７ｄとする。
皿状のラチェットリング７の中心透孔７ａはスプ−ル支持部材６の筒部６ａ外周に回り止め嵌合されている。
皿状のラチェットリング７より前側の筒部６ａ外周に椀状のクリック係合子ホルダ−からなる押圧部材８が嵌合されている。
【００１３】
スプ−ル軸５のネジ部５ｃにはドラグツマミ９のナット３３が螺合される。
ドラグツマミ９は円板状部９ａの裏面に筒部９ｂと数条の腕部９ｃが形成されて腕部９ｃの先端に鈎部９ｄが形成されている。
筒部９ｂの内面には回り止め面９ｅが形成されてナット３３に形成された回り止め面３３ａが係合される。
円板状部９ａの表面に操作用のツマミ部９ｆが円板状部９ａの一側から他側に跨るように且つ空洞部９ｇを有するように形成されている。
ツマミ部９ｆの前面には長手方向の突部９ｈが形成され、突部９ｈの両側は傾斜面α、βに形成されている。
ドラグツマミ９には制動板２８と摩擦板２９と皿状のラチェットリング７を押圧する椀状のクリック係合子ホルダ−からなる押圧部材８が組み合わされている。
【００１４】
押圧部材８は底面８ａと、底面８ａの外側の押圧面８ｂと、底面８ａの中心透孔８ｃと、外周壁８ｄと、外周壁８ｄに穿設された２組の透孔８ｅ、８ｆとで形成されている。
ドラグツマミ９の鈎部９ｄは押圧部材８の透孔８ｅ、８ｆに係止されてドラグツマミ９と押圧部材８が一体化されている。
ナット３３と押圧部材８の底面８ａの間にはコイル状の発条３４が挿入されている。
押圧部材８の透孔８ｅ、８ｆにクリックバネ３５が挿入されてクリックバネ３５の一端は皿状のラチェットリング７のクリック凹凸歯７ｃに係合される。
皿状のラチェットリング７の内側底面７ｄに押圧部材８の押圧面８ｂが当接される。
【００１５】
ロ−タ１４は筒部１４ａで回転軸筒３に取り付けられ、筒部１４ａと前壁１４ｂと大径の筒部１４ｃと大径の筒部１４ｃの基部の外周から前方に向けて図示しない突出された一対の支持腕が形成されている。
一対のベ−ル支持腕には夫々図示しない一方のベ−ル支持部材と他方のベ−ル支持部材が釣糸巻回位置と釣糸放出位置に反転自在に設けられている。
一方のベ−ル支持部材と他方のベ−ル支持部材の間には釣糸案内ロ−ラの取付部とベ−ルが取り付けられている。
【００１６】
魚釣用スピニングリ−ルの動作は、釣糸がスプ−ル４に巻回される方向にハンドル１１が回転されると、駆動歯車２が回転されてピニオン３ｂを介して回転軸筒３とロ−タ１４が正回転される。
更に連動歯車３ｃと小歯車２１を介してトラバ−スカム軸１９が連動回転されて摺動子１６とスプ−ル軸５とスプ−ル４が前後に往復動される。
制動力が調節される時は、ドラグツマミ９の突設された操作用のツマミ部９ｆが図６のように指で摘んで回動され、ドラグツマミ９が回動されると、ナット３３がスプ−ル軸５のネジ部５ｃに螺合されて押圧部材８が皿状のラチェットリング７と摩擦板２９と制動板２８を押圧したり緩められて制動力が調節される。
仕掛が投擲されて釣糸が遠方へ放出される際は、一対のベ−ル支持部材が釣糸放出位置に反転されて釣竿が勢いよく振り下ろされる。
この時釣糸巻回胴部４ｂに巻回されている釣糸はスパイラル状に解かれて前側鍔部４ｂとカバ−部材３２より前方へ放出される。
【００１７】
ドラグツマミ９の操作用のツマミ部９ｆが円板状部９ａの一側から他側に跨るように且つ空洞部９ｇを有するように形成され、ツマミ部９ｆの前面には長手方向の突部９ｈが形成されていると、リ−ルの落下等で前面に衝撃を受けた時、ツマミ部９ｆが弾性変形して衝撃を緩和すると共に、突部９ｈに衝撃の応力が集中するため、ツマミ部９ｆが折損しない強度が得られる。
特許文献１では、ツマミ部は断面略長方形状なのでスプ−ルのドラグツマミが先端からの衝撃を受けると衝撃を受ける面積が広く、面全体に応力が集中するために弾性変形部が折損し易いが、本発明のツマミ部９ｆは、前面に突部９ｈが形成されて尖っているので、衝撃を受ける面積が狭く、衝撃を受ける突部９ｈに応力が集中するために突部９ｈは変形するがツマミ部９ｆが折損し難くなる。
また、ツマミ部９ｆは、前面の両側が傾斜面α、βを有する突部９ｈに形成されていることで、ツマミ部９ｆを指で押さえ付けながらドラグツマミ９を回転した時に、ツマミ部９ｆに指が接触する面積が増えるので、グリップ力が増して操作性能が向上する。
【００１８】
前記のように魚釣用スピニングリ−ルが構成されると、ツマミ部９ｆの前面に突部９ｈを形成することで、前面に衝撃が加わったとき、ツマミ部９ｆが弾性変形して衝撃を緩和すると共に、突部９ｈに衝撃の応力が集中するため、ツマミ部９ｆが折損しない強度が得られる。
また、ツマミ部９ｆは、前面の両側に傾斜面α、βを有する突部９ｈに形成されていることで、ツマミ部９ｆを指で押さえ付けながらドラグツマミ９を回転した時に、ツマミ部９ｆに指が接触する面積が増えるので、グリップ力が増して操作性能が向上する。
【実施例２】
【００１９】
図７、図８は第２実施例で、図７はドラグツマミと押圧部材の側面図、図８はドラグツマミの正面図である。
【００２０】
第２実施例では、ドラグツマミ９は円板状部９ａの表面に操作用のツマミ部９ｆが円板状部９ａの一側から他側に跨るように且つ空洞部９ｇを有するように形成され、ツマミ部９ｆの前面には長手方向に凸堤状の突部９ｉが形成されている。
他の構成は前記第１実施例と略同一である。
突部９ｉは金属コ−テングしてもよいし、金属材で形成してツマミ部９ｆの前面に埋設固定してもよい。
【００２１】
突部９ｉを金属コ−テングしたり金属材で形成すると、ドラグツマミ９の傷つき易い部分に金属コ−テングや金属材が配置されるので、強度が補強されると共にドラグツマミ９全体を金属コ−テングしていないので、重量が軽くなる。
コストダウンする。
ドラグツマミを指で摘んで回転操作した時に滑りにくくなる等の問題が解消される。
【実施例３】
【００２２】
図９、図１０は第３実施例で、図９はドラグツマミと押圧部材の側面図、図１０はドラグツマミの正面図である。
【００２３】
第３実施例では、ドラグツマミ９は円板状部９ａの表面に操作用のツマミ部９ｆが円板状部９ａの一側から他側に跨るように且つ空洞部９ｇを有するように形成され、ツマミ部９ｆの前面には長手方向に複数個の半球状の突部９ｊが形成されている。
他の構成は前記第１実施例と略同一である。
【図面の簡単な説明】
【００２４】
【図１】第１実施例で、魚釣用ピニングリ−ルの断面側面図である。
【図２】同魚釣用スピニングリ−ルの要部拡大断面側面図である。
【図３】同ドラグツマミの正面図である。
【図４】同ドラグツマミと押圧部材と皿状のラチェットリングの他の側面から見た断面側面図である。
【図５】同魚釣用ピニングリ−ルの斜視図である。
【図６】同ツマミ部を指で摘んだドラグツマミと押圧部材と皿状のラチェットリングの断面側面図である。
【図７】第２実施例で、ドラグツマミと押圧部材の側面図である。
【図８】同ドラグツマミの正面図である。
【図９】第３実施例で、ドラグツマミと押圧部材の側面図である。
【図１０】同ドラグツマミの正面図である。
【符号の説明】
【００２５】
１  リ−ル本体
４  スプ−ル
５  スプ−ル軸
９  ドラグツマミ
９ｆ  ツマミ部
９ｇ  空洞部
９ｈ、９ｉ、９ｊ  突部
α、β  傾斜面
【図１】
2007006705.tif 000003
【図２】
2007006705.tif 000004
【図３】
2007006705.tif 000005
【図４】
2007006705.tif 000006
【図５】
2007006705.tif 000007
【図６】
2007006705.tif 000008
【図７】
2007006705.tif 000009
【図８】
2007006705.tif 000010
【図９】
2007006705.tif 000011
【図１０】
2007006705.tif 000012